(57)【要約】    【課題】  目詰まりを起こした場合であっても容易に交換することができるカートリッジ式ウィープホールを提供することである。    【解決手段】  第１部分（１４）及び第２部分（１６）を有する外管（１２）と、外管内に収容される内管（２０）と、内管内に収容される本体（２２）とを備え、第１部分の両端及び第２部分の一端にフランジ（１４ａ、１４ｂ、１６ａ）が設けられ、第１部分と第２部分は、対向するフランジを当接させて締結具（１８）で互いに接続されており、内管の一端にフランジ（２０ａ）が設けられており、第２部分、外管内への収容時に内管の第２部分の側の半部、及び内管内への収容時に本体の第２部分の側の半部に、水抜き用の複数の開口部（１６ｂ、２０ｂ、２２ａ）がそれぞれ設けられており、第１部分のフランジに内管のフランジが合致するように、外管内に内管が収容され、更に内管内に本体が収容されている。【選択図】  図１
2006016862.tif 000002
【特許請求の範囲】
【請求項１】
カートリッジ式ウィープホールであって、
第１部分及び第２部分を有する外管と、
前記外管内に収容される内管と、
前記内管内に収容される本体とを備え、
前記第１部分の両端及び前記第２部分の一端にフランジが設けられ、前記第１部分と前記第２部分は、対向するフランジを当接させて締結具で互いに接続されており、
前記内管の一端にフランジが設けられており、
前記第２部分、前記外管内への収容時に前記内管の前記第２部分の側の半部、及び前記内管内への収容時に前記本体の前記第２部分の側の半部に、水抜き用の複数の開口部がそれぞれ設けられており、
前記第１部分の前記フランジに前記内管の前記フランジが合致するように、前記外管内に前記内管が収容され、更に前記内管内に前記本体が収容されていることを特徴とするウィープホール。
【請求項２】
カートリッジ式ウィープホールであって、
第１部分及び第２部分を有する外管と、
前記外管内に収容される本体とを備え、
前記第１部分の両端及び前記第２部分の一端にフランジが設けられ、前記第１部分と前記第２部分は、対向するフランジを当接させて締結具で互いに接続されており、
前記第２部分、及び前記外管内への収容時に前記本体の前記第２部分の側の半部に、水抜き用の複数の開口部がそれぞれ設けられていることを特徴とするウィープホール。
【請求項３】
前記本体に逆流防止弁が取り付けられており、前記逆流防止弁が、一方向からの水流に対しては開放し、他方向からの水流に対しては閉鎖するように構成された蓋を有していることを特徴とする請求項１又は２に記載のウィープホール。
【発明の詳細な説明】
【技術分野】
【０００１】
本発明は一般に、ウィープホールに関する。より詳細には、本発明は、交換可能に構成されたカートリッジ式ウィープホールに関する。
【背景技術】
【０００２】
擁壁やコンクリート水路などのコンクリート構造物には、一般的に、裏込め土中の水を排水して揚圧力を減少させるため、水抜き用の孔（「ウィープホール」と一般に呼ばれている）が設けられている。ウィープホールは典型的には、コンクリート構造物に設けた貫通孔に、パイプを通すことによって形成されている。
【発明の開示】
【発明が解決しようとする課題】
【０００３】
しかしながら、設置した後数年経過すると、ウィープホールは目詰まりを起こすが、従来のウィープホールは、いわゆる“埋め殺し式”であるため、目詰まりを起こした場合であっても容易に交換することができなかった。また、ウィープホール裏面の集水材兼吸い出し防止フィルタ材等が、コンクリート構造物の背面の圧密沈下等により破壊したり脱落したりして土砂が流出する等の問題を生じていた。
【０００４】
本発明は、このような状況に鑑みて案出されたものであって、目詰まりを起こした場合であっても容易に交換することができるカートリッジ式ウィープホールを提供することを目的とする。
【課題を解決するための手段】
【０００５】
本願請求項１に記載のカートリッジ式ウィープホールは、第１部分及び第２部分を有する外管と、前記外管内に収容される内管と、前記内管内に収容される本体とを備え、前記第１部分の両端及び前記第２部分の一端にフランジが設けられ、前記第１部分と前記第２部分は、対向するフランジを当接させて締結具で互いに接続されており、前記内管の一端にフランジが設けられており、前記第２部分、前記外管内への収容時に前記内管の前記第２部分の側の半部、及び前記内管内への収容時に前記本体の前記第２部分の側の半部に、水抜き用の複数の開口部がそれぞれ設けられており、前記第１部分の前記フランジに前記内管の前記フランジが合致するように、前記外管内に前記内管が収容され、更に前記内管内に前記本体が収容されていることを特徴とするものである。
【０００６】
本願請求項２に記載のカートリッジ式ウィープホールは、第１部分及び第２部分を有する外管と、前記外管内に収容される本体とを備え、前記第１部分の両端及び前記第２部分の一端にフランジが設けられ、前記第１部分と前記第２部分は、対向するフランジを当接させて締結具で互いに接続されており、前記第２部分、及び前記外管内への収容時に前記本体の前記第２部分の側の半部に、水抜き用の複数の開口部がそれぞれ設けられていることを特徴とするものである。
【０００７】
本願請求項３に記載のカートリッジ式ウィープホールは、前記請求項１又は２のウィープホールにおいて、前記本体に逆流防止弁が取り付けられており、前記逆流防止弁が、一方向からの水流に対しては開放し、他方向からの水流に対しては閉鎖するように構成された蓋を有していることを特徴とするものである。
【発明の効果】
【０００８】
本発明によれば、目詰まりを起こした場合であっても、本体や内管を交換することにより、ウィープホールの機能を良好に維持することができる。また、逆流防止弁を取り付けることにより、水路や河川構造物にも本発明のウィープホールを利用することができる。
【発明を実施するための最良の形態】
【０００９】
次に、図面を参照して、本発明の好ましい実施の形態に係るカートリッジ式ウィープホールについて詳細に説明する。図１は、本発明の好ましい実施の形態に係るカートリッジ式ウィープホールの分解図である。図１において全体として参照符号１０で示される本発明の好ましい実施の形態に係るカートリッジ式ウィープホールは、外管１２を備えている。外管１２は、第１部分１４と、第２部分１６とによって構成されている。
【００１０】
外管１２の第１部分１４は、両端が開放し、両端にフランジ１４ａ、１４ｂが設けられた管状部材によって形成されている。外管１２の第２部分１６は、開口した一端にフランジ１６ａが設けられ、他端が閉鎖した管状部材によって形成されている。第２部分１６の外面には、水抜き用の複数の開口部１６ｂが設けられている。第１部分１４と第２部分１６は、同じ内径を有する管状部材で形成されており、対向するフランジ１４ｂ、１６ａを当接させてボルト等の締結具１８で互いに接続されている。なお、第１部分１２の長さは、ウィープホールを取り付けようとするコンクリート壁の厚さと略等しくなるように選定されている。
【００１１】
カートリッジ式ウィープホール１０は又、外管１２内に収容される内管２０を備えている。内管２０は、開口した一端にフランジ２０ａが設けられ、他端が閉鎖した管状部材によって形成されている。内管２０は、外管１２内に収容することができるように、その外径が外管１２の内径よりも僅かに小さくなるように選定されている。また、内管２０の閉鎖端の側の半部の外面に、水抜き用の複数の開口部２０ｂが設けられている。
【００１２】
カートリッジ式ウィープホール１０は更に、内管２０内に収容される本体２２を備えている。本体２２は、一端が開放し、他端が閉鎖した管状部材によって形成されている。本体２２は、内管２０内に収容することができるように、その外径が内管２０の内径よりも僅かに小さくなるように選定されている。また、本体２２の閉鎖端の側の半部の外面に、水抜き用の複数の開口部２２ａが設けられている。
【００１３】
好ましくは、外管１２は、鋼管で形成されており、内管２０及び本体２２は、塩化ビニル樹脂等の合成樹脂材料で形成されている。
【００１４】
以上のように構成されたカートリッジ式ウィープホール１０の使用について説明する。まず、第１部分１４をコンクリート構造物の型枠に取り付けた後、型枠内にコンクリートを打設する。型枠内のコンクリートが硬化した後、第１部分１４に第２部分１６を接続し、第１部分１４と第２部分１６とによって構成される外管１２内に、内管２０及び本体２２を挿入する。なお、第２部分１６の開口部１６ｂから土砂がウィープホール１０内に侵入しないように、第２部分１６の外面を土砂侵入防止ネット（図３参照）で被覆するのが好ましい。また、内管２０を外管１２に固定しようとする際、フランジ１４ａとフランジ２０ａとの間に、パッキン２４を介在させるのが好ましい（図２参照）。さらに、本体２２を内管２０内に収容する際、本体２２にＯリング２２ｂを装着するのがよい。
【００１５】
ウィープホール１０に目詰まり等が生じた場合には、外管１２に対して内管２０を回転させて、外管１２の開口部１６ｂと内管２０の開口部２０ｂが整列しないようにした後（開口部１６ｂから内管２０内に土砂が入り込まないようにするためである）、内管２０及び本体２２を引き抜き、新しいものに交換する。内管２０及び本体２２を引き抜いた際、外管１２の内部を洗浄することもできる。
【００１６】
本発明は、以上の発明の実施の形態に限定されることなく、特許請求の範囲に記載された発明の範囲内で、種々の変更が可能であり、それらも本発明の範囲内に包含されるものであることはいうまでもない。
【００１７】
例えば、前記実施の形態においてカートリッジ式ウィープホール１０は、３つの構成部分（外管、内管、及び本体）から構成されているが、裏込め土の状況等に応じて、内管を省略して２つの構成部分（外管と本体）でカートリッジ式ウィープホールを構成してもよい。
【００１８】
また、カートリッジ式ウィープホール１０を水路や河川構造物等に使用する場合には、図５に示されるような逆流防止弁２６をウィープホール１０に取り付けるのがよい。図５に示される逆流防止弁２６は、両端が開放した略筒状の形状を有しており、水路又は河川側の端部に開閉式の蓋２６ａが取り付けられている。蓋２６ａは、上端においてピン２６ｂでヒンジ止めされており、Ａ方向（裏込め土側）からの水流に対しては開放し（図５（ａ）において二点鎖線で図示）、Ｂ方向（水路又は河川側）からの水流に対しては閉鎖する（図５（ａ）において実線で図示）ようになっている。蓋２６ａは好ましくは、ゴムで形成されている。また、逆流防止弁２６の内面底部には、Ａ方向からの僅かな水流に対しても対応することができるように、溝２６ｃが設けられている。
【図面の簡単な説明】
【００１９】
【図１】本発明の好ましい実施の形態に係るカートリッジ式ウィープホールの分解図である。
【図２】図１のカートリッジ式ウィープホールの長さ方向断面図である。
【図３】図１のカートリッジ式ウィープホールの取り付け状態の一例を示した断面図である。
【図４】図３の線４−４に沿って見た横断面図である。
【図５】図５（ａ）は、図１のカートリッジ式ウィープホールに逆流防止弁を取り付けた状態を示した断面図、図５（ｂ）は、図５（ａ）の線５ｂ−５ｂに沿って見た断面図である。
【符号の説明】
【００２０】
１０  カートリッジ式ウィープホール
１２  外管
１４  第１部分
１６  第２部分
２０  内管
２２  本体
２４  パッキン
２６  逆流防止弁
【図１】
2006016862.tif 000003
【図２】
2006016862.tif 000004
【図３】
2006016862.tif 000005
【図４】
2006016862.tif 000006
【図５】
2006016862.tif 000007